(57)【要約】【課題】カバーの反りを固定により矯正して被固定部に取付ける。【解決手段】カバー取付装置８０は、反った後カバー９０を本体フレーム１２０に取り付けるねじ８１と、ねじ８１によって本体フレーム１２０に取り付けられた後カバー９０と本体フレーム１２０とが圧接する後カバー９０に形成されて、上記圧接により後カバー９０を本体フレーム１２０に接近する方向に反らせる傾斜面９４と、を備えている。ユーザが、ねじ８１を締め付けて後カバーを本体フレーム１２０に取り付けると、傾斜面９４が本体フレーム１２０に圧接されて、傾斜面９４の傾斜によって、後カバー９０に、本体フレーム１２０に接近させられる力が加わる。その力によって、後カバー９０の反りが少なくなる。【選択図】図１２
2019128428.tif 000002
【特許請求の範囲】
【請求項１】
カバーと被固定部の各々の接触部同士を接触対にして該接触対を締結手段により固定するカバー取付装置において、
前記接触対を複数備え、前記複数の接触対の内の第１の接触対は、前記カバーの接触部と前記被固定部の接触部の少なくとも一方の接触面が傾斜面であり、前記傾斜面は、前記カバーの略中央領域に向かって傾斜している、
ことを特徴とするカバー取付装置。
【請求項２】
前記第１の接触対の傾斜面は、前記カバーの略中央領域を介して、対向して配置される第２の接触対に向かって傾斜している、
ことを特徴とする請求項１に記載のカバー取付装置。
【請求項３】
前記カバーと前記被固定部の少なくとも一方に、前記締結手段の固定により他方に接触する位置決め部が形成されており、
前記位置決め部は、前記第１の接触対と前記第２の接触対との間の領域に形成されている、
ことを特徴とする請求項２に記載のカバー取付装置。
【請求項４】
前記第２の接触対は、前記カバーの接触部と前記被固定部の接触部の少なくとも一方の接触面が傾斜面であり、該傾斜面は、前記第１の接触対に向かって傾斜している、
ことを特徴とする請求項２または請求項３に記載のカバー取付装置。
【発明の詳細な説明】
【技術分野】
【０００１】
本発明は、カバーを被固定部に取り付けるカバー取付装置に関する。
【背景技術】
【０００２】
従来、カバーを被固定部としての画像形成装置の装置本体に容易に取り付けるカバー取付装置がある（特許文献１）。
【先行技術文献】
【特許文献】
【０００３】
【特許文献１】特開２００９−１６９１２６号公報
【発明の概要】
【発明が解決しようとする課題】
【０００４】
しかし、従来のカバー取付装置は、成型したカバーが反って仕上がった場合、カバーを装置本体に反った状態のまま装置本体に取り付けて固定するため、画像形成装置の外観を損なうという問題があった。このため、従来のカバー取付装置によって装置本体に取り付けられるカバーは、反っているときには、作業者が一個毎に平らに矯正してから装置本体に取り付けなければならないという問題があった。
【０００５】
本発明は、反りのあるカバーを被固定部に固定するだけで、その反りを矯正できるカバー取付装置を提供することにある。
【課題を解決するための手段】
【０００６】
本発明は、カバーと被固定部の各々の接触部同士を接触対にして該接触対を締結手段により固定するカバー取付装置において、前記接触対を複数備え、前記複数の接触対の内の第１の接触対は、前記カバーの接触部と前記被固定部の接触部の少なくとも一方の接触面が傾斜面であり、前記傾斜面は、前記カバーの略中央領域に向かって傾斜している、ことを特徴とするカバー取付装置によって、従来の課題を解決した。
【発明の効果】
【０００７】
本発明は、カバーを被固定部に固定するだけで、カバーの反りを矯正することができるという効果を奏する。
【図面の簡単な説明】
【０００８】
【図１】本発明のカバー取付装置によってカバーとしての後カバーが装置本体に取付けられている複写機の外観斜視図である。
【図２】複写機の装置本体をシートの搬送方向に沿った断面概略図であり、図１の画像読取部を省略した図である。
【図３】後カバーを取り外した複写機の背面図である。
【図４】外観面を上側にして倒した後カバーの斜視図である。
【図５】裏側を上側にして倒した後カバーの斜視図であり、図４の後カバーをひっくり返した図である。
【図６】図５の矢印Ｑ方向から見た、後カバーの図である。
【図７】図５の後カバーの手前左角の突起部の拡大斜視図である。
【図８】図５の後カバーの左側手前の係合部の拡大斜視図である。
【図９】後カバーを取り外した複写機の背面図である。
【図１０】図９の右側の被係合片の拡大図である。
【図１１】被係合片に係合部が係合した断面図である。
【図１２】突起部を貫通させたねじを雌ねじ孔に螺合させて、後カバーを複写機の背部に取付けるカバー取付装置の断面図である。
【図１３】傾斜面を有する突起部を本体フレームに備えた場合のカバー取付装置の図である。
【発明を実施するための形態】
【０００９】
以下、本発明の実施形態のカバー取付装置を図に基づいて説明をする。なお、実施形態に記載されている構成部品の形状、及びその相対配置等は、特に特定的な記載がない限り、本発明の範囲をそれらのみに限定する趣旨のものではない。また、数、数値は、参考のために示したものであり、本発明を限定するものではない。
【００１０】
図１は、本発明のカバー取付装置によってカバーとしての装置本体の後カバーが装置本体１Ｆに取付けられている画像形成装置としての複写機１の外観斜視図である。複写機１において、ユーザが複写機１に各種情報の入力／設定を行う操作パネル１Ｅが設けられた側を複写機１の正面部１ａと称し、その反対を奥側１ｂと称す。また、正面部１ａの右側を右側部１ｃと称し、正面部１ａの左側を左側部１ｄと称す。複写機１は、原稿の画像を読み取る画像読取部６と、画像読取部６が読み取った画像情報、或いは外部のパソコン等の情報機器から送られてくる画像情報に基づいてシートに画像を形成する装置本体１Ｆなどで形成されている。
【００１１】
図２は、複写機１の装置本体１Ｆをシートの搬送方向に沿った断面概略図であり、図１の画像読取部６を省略した図である。図３は、後カバーを取り外した複写機１の背面図である。
【００１２】
図２において、装置本体１Ｆは、シートＰを給送するシート給送部２と、シートＰに画像を形成する画像形成部３と、シートＰに画像を定着させる定着ユニット４と、画像が定着されたシートＰを排出する排出部５と、シート反転部７などで構成されている。
【００１３】
シート給送部２は、複写機１の装置本体１Ｆの下部に設けられている。シート給送部２は、シートＰが積載される積載トレイ２１と、積載トレイ２１に積載されたシートＰをピックアップするピックアップローラ２２と、ピックアップされたシートＰを分離給送する分離給送部２３と、シートをさらに搬送する搬送ローラ対１０と、装置本体１Ｆの右側部１ｃからシートＰを手差し給送可能な手差し給送部２４等で構成されている。手差し給送部２４は、シートＰを積載する手差しトレイ２５と、手差しトレイ２５に積載されたシートＰを分離給送する分離給送部２６等で構成されている。手差しトレイ２５は、図２において、矢印方向に開閉できるようになっており、ユーザが開いてシートを載置できるようになっている。なお、図２には、積載トレイ２１と、ピックアップローラ２２と、分離給送部２３が１組しか図示していないが、図１で積載トレイ２１が上下に２段図示されているように、上下方向に２組設けられているものとする。
【００１４】
画像形成部３は、シート給送部２の上方に設けられている。画像形成部３は、トナー像が帯電形成される感光体ドラム３１と、感光体ドラム３１の表面を一様に帯電する帯電ローラ３２と、レーザ光Ｌを感光体ドラム３１に照射して、感光体ドラム３１に静電潜像を形成するレーザ照射装置３３と、感光体ドラム３１上の静電潜像をトナー像として可視化する現像装置３４と、感光体ドラム３１に当接して転写ニップＮを形成する転写ローラ３５などで構成されている。定着ユニット４は、画像形成部３のシート搬送方向の下流側（以下、単に「下流側」という）のシート搬送路の途中に設けられている。定着ユニット４は、シートにトナー像を定着するようになっている。
【００１５】
排出部５は、定着ユニット４のシート搬送方向下流側に設けられており、シートＰを装置本体１Ｆの内部から排出する排出ローラ対５１と、排出されたシートＰが積載される胴内排出トレイ５２等で構成されている。図１において、画像読取部６は、装置本体１Ｆの上部に設けられており、ユーザが原稿を載置する原稿載置トレイ６１と、原稿載置トレイ６１に載置されて、装置本体内に引き込んだ原稿の画像情報を読み取る不図示の読取スキャナ等で構成されている。
【００１６】
図２において、シート反転部７は、装置本体１Ｆの右上部と右側部１ｃとに沿って設けられており、第１面（表面）に画像を形成したシートを、シートの両面に画像を形成すべく、反転して再度、画像形成部３へ案内する機能を備えている。
【００１７】
シート反転部７は、定着ユニット４のシート搬送方向下流側に設けられて第１面に画像を形成したシートをシート排出部５とシート反転部７とに選択的に案内する選択切替部材７１と、反転入口ローラ対７２と、シートを反転案内する反転パス７３と、シートを反転搬送する反転ローラ対７４と、反転後のシートを案内する反転後パス７５と、シートを反転後パス７５へ案内する反転切替部材７６と、反転後パス７５に設けられて反転後のシートを搬送する複数の反転シート搬送ローラ対７７などで構成されている。
【００１８】
次に、複写機１の画像形成ジョブを説明する。画像形成ジョブが開始されると、画像読取部６が読み取った原稿の画像情報、或いは外部の情報機器から送られてくる画像情報に基づいて、レーザ照射装置３３が所定速度で回転する感光体ドラム３１の表面にレーザ光Ｌを照射する。すると、帯電ローラ３２によって所定の極性電位に一様に帯電されている感光体ドラム３１の表面が露光され、感光体ドラム３１の表面に静電潜像が形成される。形成された静電潜像は、現像装置３４の対向領域で現像され、トナー像として可視化される。
【００１９】
上述のトナー像の形成動作に並行して、シートがシート給送部２から１枚ずつに分離給送される。給送されたシートＰは、搬送ローラ対１０により搬送ローラ対１０のシート搬送方向下流側のシート搬送路に設けられたレジストローラ対１１に搬送され、レジストローラ対１１によって斜行が真っ直ぐに矯正される。斜行が真っ直ぐに矯正されたシートＰは、その後、所定のタイミングで転写ニップＮに搬送され、可視化されたトナー像が転写ローラ３５によって転写される。
【００２０】
トナー像が転写されたシートＰは、転写ニップＮから定着ユニット４に搬送され、定着ユニット４で熱及び圧力を受けることでトナーが画像として定着される。その後、画像が定着されたシートＰは、排出ローラ対５１によって胴内排出トレイ５２に排出されて、画像形成ジョブが終了する。
【００２１】
次に、複写機１が、シートの裏面にも画像形成する動作を説明する。第１面に画像を転写されたシートＰは、選択切替部材７１によって、シート反転部７に案内される。シートは、反転入口ローラ対７２の搬送と反転パス７３の案内とによって、反転ローラ対７４に搬送され、反転ローラ対７４によって、胴内排出方向（矢印ａ方向）に送り出される。反転ローラ対７４は、挟持したシートＰの後端が反転切替部材７６を抜けて所定の位置（例えば、７ｍｍの位置）に到達すると、逆回転してシートを装置本体１Ｆ内に引き込む（図中矢印ｂ方向）。なお、所定の位置は、不図示のシート検知センサの通過時間から算出される。そして、反転切替部材７６が、シートを反転後パス７５に案内する。これらの各部の一連の動作によってシートは、反転されて裏返しになる。
【００２２】
その後、シートは、反転シート搬送ローラ対７７の搬送と反転後パス７５の案内とによって、再び、レジストローラ対１１、転写ニップＮに搬送される。この際、シートＰの第２面が感光体ドラム３１側にくるようになっており、シートは、転写ニップＮで第２面にトナー像を転写され、定着ユニット４で画像を定着される。最後、シートは、排出ローラ対５１によって胴内排出トレイ５２に胴内排出される。これによって、複写機１は、シートの両面（第１面と第２面）にトナー像を形成する一連の画像形成ジョブを終了する。
【００２３】
次に、図４乃至図１２に基づいて、装置本体１Ｆの本体フレーム１２０に、図６の矢印Ｊ方向に反った樹脂成型品の後カバー９０を取り付けるカバー取付装置８０（図１２）について説明をする。なお、図６の後カバー９０は、平らになっているが、矢印Ｊ方向に反っているものとする。
【００２４】
図４は、外観面を上側にして倒した後カバー９０の斜視図である。図５は、裏側を上側にして倒した後カバー９０の斜視図であり、図４の後カバー９０をひっくり返した図である。図６は、図５の矢印Ｑ方向から見た、後カバー９０の側面図である。図６は、紙面の長手方向を横にして見ると、図５と整合性が取れる。図７は、図５の後カバー９０の手前左角の突起部９２の拡大斜視図である。図８は、図５の後カバー９０の左側手前の係合部９６の拡大斜視図である。図９は、後カバー９０を取り外した複写機１を背後から見た複写機の背面図である。図１０は、図９の右側の被係合片９８の拡大図である。図１１は、被係合片９８に係合部９６が係合した断面図である。図１２は、突起部９２を貫通させたねじ８１を雌ねじ孔９１に螺合させて、後カバー９０を複写機１の奥側１ｂに取付けるカバー取付装置８０の部分断面図である。
【００２５】
図４の後カバー９０は、図３、図９に示す複写機１の被固定部としての本体フレーム１２０の奥側１ｂにねじ８１（図１２）によって取付けられるようになっている。奥側１ｂには、後カバー９０を取付けるねじ８１が螺合する雌ねじ孔９１が複数（４つ）形成されている。
【００２６】
図５において、後カバー９０の略中央の領域には、本体フレーム１２０に突き当たる位置決め部としての突き当て部９５が本体フレーム１２０側に向いて突出形成されている。後カバー９０には、図４乃至図７、図１２に示すように円形のカップ状の突起部９２が一体に突出して複数（４つ）形成されている。突起部９２は、図６の後カバー９０の外観面９７の反対側の面に突設されている。すなわち、突起部９２は、後カバー９０を奥側１ｂに取付けるとき被固定部である本体フレーム１２０の奥側１ｂに向くように突設されている。突起部９２は、突き当て部９５を中心に、取り囲むように、４箇所、後カバー９０に突設されている。図５において、左上の突起部９２と右下の突起部９２は、間に突き当て部９５が位置するように配置されている。同様に、左下の突起部９２と右上の突起部９２は、間に突き当て部９５が位置するように配置されている。
【００２７】
図７、図１２において、突起部９２の先端部９２ａの中心部には、ねじ８１のねじ部８１ａが貫通するねじ貫通孔９３が形成されている。また、突起部９２の先端部９２ａには、ねじ８１によって、後カバー９０を本体フレーム１２０に取り付けたとき、ねじ８１の締め込み力によって、本体フレーム１２０に圧接される傾斜面９４が形成されている。所謂、傾斜面９４は、接触面であり、後カバー９０の取り付け座面である。突起部９２に形成された傾斜面９４は、後カバー９０の反り方向（矢印Ｊ方向（図６））に傾斜している。しかも、４箇所の突起部９２の各傾斜面９４は、突き当て部９５に向けて（突き当て部側（位置決め部側）に）、傾斜角約５度の下り勾配に傾斜している。
【００２８】
後カバー９０の４辺の縁には、補強片９０ａが本体フレーム１２０側に向いて立設されている。図５において左右の互いに対向する補強片９０ａの内側近くには、係合部９６が２つずつ、都合４つ、本体フレーム１２０側に向いて後カバー９０に突設されている。係合部９６は、後述する被係合片９８に着脱されるようになっている。
【００２９】
後カバー９０を取り外した複写機１を背後から見た図９において、本体フレーム１２０の右側部１ｃに取付けられた右カバー１３０と、左側部１ｄに取付けられた左カバー１４０とには、互いに向き合う方向に突出した被係合片９８が２つずつ、都合４つ形成されている。この被係合片９８には、後カバー９０に形成された係合部９６が着脱自在に係合するようになっている。
【００３０】
次に、後カバー９０を本体フレーム１２０に取り付ける手順を説明する。先ず、後カバー９０の係合部９６を右カバー１３０及び左カバー１４０の被係合片９８に係合させる。なお、図８において、係合部９６は、互いに向き合って平行に後カバー９０に突設された１対の係合片９６ａ，９６ｂと、一方の係合片９６ａの先端部に他方の係合片９６ｂから離れる方向に突出した三角形状の突起９６ｃとで形成されている。突起９６ｃが形成された係合片９６ａは弾性を備えている。なお、他方の係合片９６ｂも弾性を備えていても良い。また、図１０において、被係合片９８には、切欠９８ａが形成されている。切欠９８ａには、開口部９８ａａが形成されている。
【００３１】
このような形状の係合部９６と被係合片９８とを、図１１に示すように、互いに直角な状態にして、係合部９６を切欠９８ａに押し込む。このとき、係合部９６の一方の係合片９６ａは、突起９６ｃが切欠９８ａを通過するとき、一旦、他方の係合片９６ｂに接近する方向に撓んだ後、元に復帰する。この結果、係合部９６の突起９６ｃは、切欠９８ａに係合し、抜け止めの役目をして、係合部９６が被係合片９８から抜けるのを防止する。この結果、後カバー９０は、係合部９６と被係合片９８とよって、本体フレーム１２０に仮保持される。また、後カバー９０と、右カバー１３０及び左カバー１４０との相対位置関係が良好になる。
【００３２】
図１０に示すように、右カバー１３０及び左カバー１４０の被係合片９８には開口部９８ａａが形成されている。この開口部９８ａａは、右カバー１３０及び左カバー１４０のカバー着脱方向（図３、図９、図１０において左右方向）に形成されているので、後カバー９０を本体フレーム１２０に取り付けたままで、右カバー１３０及び左カバー１４０を左右方向に着脱することができる。これにより、市場でサービスマン等が右カバー１３０及び左カバー１４０の着脱を容易に行うことができる。なお、被係合片９８は、右カバー１３０及び左カバー１４０の着脱の容易性を考慮しない場合、本体フレーム１２０に形成されていても良い。この場合、開口部９８ａａは必ずしも必要としないで、孔であっても良い。
【００３３】
このようにして、後カバー９０が上述のように仮保持されると、後カバー９０の突起部９２のねじ貫通孔９３と本体フレーム１２０に形成されている雌ねじ孔９１とが、ほぼ合致する。この状態で、図１２に示すように、ねじ８１をねじ貫通孔９３に貫通させて雌ねじ孔９１に螺合させると、ねじ８１の締め込み力によって、後カバー９０の傾斜面９４が本体フレーム１２０に圧接される。突起部９２と、被固定部としての本体フレーム１２０の雌ねじ孔９１が形成されている周辺１ｂａは各々接触部であり、接触部同士は接触対を形成している。図５において、位置決め部としての突き当て部９５は、後カバー９０の略中央領域に突設され、突起部９２は、突き当て部９５を中心に、取り囲むように配設されている。すなわち、接触対が４箇所、突き当て部９５を中心に、取り囲むように略９０度間隔で配設されていることになるので、４箇所の接触対の内、図５の左上（または左下）の突起部９２によって形成される第１の接触対と、右下（右上）の突起部９２によって形成される第２の接触対との間の領域に突き当て部９５が形成されていることになる。そして、第１の接触対の突起部９２の傾斜面は、カバーの中央領域を介して、対向して配置された第２の接触対に向かって傾斜していることになる。なお、雌ねじ孔９１とねじ８１は締結手段である。
【００３４】
傾斜面９４は、図５に示すように、突き当て部９５を中心に、取り囲むように配置された４つの各突起部９２に形成されているため、図６の矢印Ｊ方向に反った後カバー９０を矢印Ｋ方向に反らせる矢印Ｍ方向（図１２）の力を生じさせる。図６に示すように矢印Ｊと矢印Ｋは互いに逆方向である。ねじ貫通孔９３は、後カバー９０を矢印Ｋ方向に反り易くするため、ねじ８１の直径よりも大径に形成されている。したがって、４箇所の傾斜面９４がねじ８１によって本体フレーム１２０に圧接されると、後カバー９０の中央部分が本体フレーム１２０に接近させられて、後カバー９０の中央部分に突設されている図５の突き当て部９５が本体フレーム１２０に圧接され、本体フレーム１２０に受け止められる。
【００３５】
なお、図５において、突起部９２は、後カバー９０の４箇所に突設されているが、突き当て部９５を間にした２箇所の突起部、例えば、左上と右下の２箇所の突起部、或いは左下と右上の２箇所の突起部だけ、１対配置されていても良い。また、後カバー９０を反らせる量が少ない場合、ねじ貫通孔９３の径は、ねじ８１のねじ部８１ａの径と略同じで良い。
【００３６】
傾斜面９４の傾斜角は、矢印Ｋ方向の反り量が、矢印Ｊ方向の反り量以上になるように、設定されている。すなわち、傾斜角は、後カバー９０の矢印Ｊ方向の反りを矯正する角度に設定されている。このため、矢印Ｊ方向の反り量にばらつきがあっても、後カバー９０の突き当て部９５が本体フレーム１２０に受け止められて、後カバー９０の外観面９７は、略平らになる。また、突き当て部９５を本体フレーム１２０に受け止めさせることによって、後カバー９０は本体フレーム１２０に接近し過ぎることが防止される。この結果、後カバー９０の外観面９７の中央部分は、後カバー９０の反り量に関係なく、略同じように、本体フレーム側にへこむことを防止される。
【００３７】
以上のカバー取付装置８０は、後カバー９０を突起部９２を介してねじ８０によって本体フレーム１２０に圧接して取り付けるようになっているので、ねじ８１の締め付け力によって、後カバー９０を本体フレーム１２０に簡単に、かつ後カバー９０が本体フレーム１２０から外れにくい状態で取り付けることができるので、後カバー９０の取り付け作業が簡単であり、かつ後カバー９０が本体フレーム１２０から外れにくいという効果を奏する。
【００３８】
また、カバー取付装置８０は、ねじの締め込みによって後カバー９０と本体フレーム１２０とが突起部９２を介して圧接されるので、突起部９２が、後カバー９０を本体フレーム１２０に接近する方向に反らせることができるので、後カバー９０の取付作業と同時に、後カバー９０の反りを矯正することができるという効果を奏する。
【００３９】
このようにして、後カバー９０の反りを略無くすことによって、外観面９７が略平になり、後カバー９０の外観性が高められる。また、外観面９７が平になることによって、後カバー９０の縁と本体フレーム１２０に設けられている他のカバーの縁とに段差が生じることを防止して、複写機１の外観を損なうことがない。さらに、後カバー９０はカップ状の突起部９２の内部９２ｂにねじ８１が進入する形状になっている。このため、後カバー９０は、ねじ８１の頭部が突起部９２の内部に隠れて外観面９７から突出することがなく、より一層、外観性を高められる。
【００４０】
また、図１３に示すカバー取付装置１８０のように、突起部１９２は、本体フレーム１２０の後カバー側（カバー側）に突設されていても良い。図５の後カバー９０は、本体フレーム１２０に突き当たるため、中央に突き当て部９５を備えているが、図１３における本体フレーム１２０は、反りを矯正される後カバー１９０を受け止めるため、後カバー１９０の中央と対向する位置に、不図示であるが後カバー１９０側に向けて突設された位置決め部としての受け止め部を備えている。この不図示の受け止め部は、後カバー１９０を受け止めて、図５の突き当て部９５と同様な効果を生じさせるものであり、図１３の突起部１９２の左側の方の位置に突設されているものとする。図１３に示すカバー取付装置１８０も、矢印Ｊ方向に反っている後カバー１９０の反りを矢印Ｋ方向に反らせるようになっている。
【００４１】
図１３のカバー取付装置１８０における突起部１９２の先端部１９２ａに形成された傾斜面１９４は、後カバー１９０の反り方向である矢印Ｊ方向と逆方向に傾斜している。すなわち、傾斜面１９４は、不図示の受け止め部側（位置決め部の側）に傾斜している。後カバー１９０には、ねじ８１のねじ部８１ａが貫通するねじ貫通孔１９３と、ねじ８１の頭部が後カバー１９０の外観面１９７から突出しないようにする凹部１９５とが形成されている。貫通孔１９３は、ねじ８１のねじ部８１ａの直径より大径に形成されている。突起部１９２には、ねじ８１が螺合する雌ねじ孔１９１が形成されている。
【００４２】
なお、図１３における、突起部１９２も、本体フレーム１２０の４箇所に略９０度間隔で突設されているものとするが、不図示の受け止め部を間にした２箇所の突起部だけ突設されていても良い。
【００４３】
図１３において、ねじ８１を、ねじ貫通孔１９３を貫通させて雌ねじ孔１９１に螺合させると、後カバー１９０がねじ８１の締め込みによって本体フレーム１２０の突起部１９２の傾斜面１９４に圧接される。傾斜面１９４は、傾斜によって、後カバー１９０に矢印Ｒ方向の力を生じさせ、後カバー１９０を矢印Ｋ方向に反らせて、矢印Ｊ方向の反りを略無くすことができる。また、後カバー１９０が本体フレーム１２０の受け止め部に受け止められるため、後カバー１９０の外観面１９７が矢印Ｋ方向に反り過ぎることが防止される。突起部１９２と、後カバー１９０の貫通孔１９３が形成されている貫通孔周辺部１９０ａは各々接触部であり、接触部同士は接触対を形成している。また、雌ねじ孔１９１とねじ８１は締結手段である。さらに、傾斜面１９４は、接触面である。
【００４４】
この結果、図１３に示すカバー取付装置１８０は、図１２に示すカバー取付装置８０と同様な効果が得られる。すなわち、後カバー１９０の取り付け作業が簡単であり、かつ後カバー１９０を本体フレーム１２０から外れにくい状態で取り付けることができるという効果を奏する。また、後カバー１９０の取付作業と同時に、後カバー１９０の反りを矯正することができるという効果も奏する。
【００４５】
さらに、図１３の後カバー１９０の外観面１９７が平坦になり、後カバー１９０の外観性が高められる。後カバー１９０の縁と本体フレーム１２０に設けられている他のカバーの縁とに段差が生じることを防止される。また、後カバー１９０は凹部１９５の内部にねじ８１が進入する形状になっているため、ねじ８１の頭部が凹部１９５の内部に隠れて外観面１９７から突出することがなく、より一層、後カバー１９０の外観性が高められる。
【００４６】
以上の説明におけるカバー取付装置８０，１８０は、図６、図１３において、矢印Ｊ方向に反った後カバー９０，１９０を矢印Ｋ方向に反らせることで矢印Ｊ方向の反りを矯正するとともに、突き当て部９５あるいは不図示の受け止め部に突き当てることで、後カバー９０，１９０のカバー固定位置を保障している。しかし、一般に後カバーは、その形状によって成型時から、図６の後カバー９０や図１２の後カバー１９０のように矢印Ｊ方向に反っているとは限らず、矢印Ｊ方向と異なる矢印Ｋ方向に反っている場合もある。この反り方向は形状により決まるため、成型時の反りが矢印Ｊ方向と矢印Ｋ方向にばらつくことは無い。このため、矢印Ｋ方向に反りが発生する形状の外装カバーには、突起部の傾斜面の傾斜方向を突き当て部９５とは逆方向に向けて傾斜角度を付与すれば、突起部を介して本体フレーム１２０に押し付けられた状態でねじ８１によって本体フレーム１２０に取り付けられるので、矢印Ｋ方向の反りは解消されて、略平らな状態で本体フレーム１２０に取り付けられる。
【００４７】
また、図１２の傾斜面９４は、後カバー９０に直接形成されていても良い。図１３の傾斜面１９４も、本体フレーム１２０に直接形成されていても良い。これらの場合、傾斜面９４，１９４が形成されている部分を接触部とする。
【００４８】
さらに、図５の突き当て部９５は、後カバー９０に設けられているが、本体フレーム１２０に、後カバー９０側に向けて突設されていても良い。また、図１３に示す不図示の突き当て部は本体フレーム１２０に設けられているが、後カバー１９０に、本体フレーム１２０側に向けて突設されていても良い。さらに、突き当て部９５と不図示の受け止め部とは、必ずしも必要としない。後カバーが傾斜面の傾斜によって本体フレーム１２０に接近する方向に反らされたとき、後カバー９０，１９０の一部分が、本体フレームに圧接されて受け止められるようになっていても良い。
【００４９】
ねじ８１は、図１２において、突起部９２を貫通して本体フレーム１２０に螺合しているが、突起部９２を貫通することなく、後カバー９０の突起部９２以外の部分を貫通して本体フレーム１２０に螺合していても良い。ねじ８１は、図１３において、突起部１９２に螺合しているが、突起部１９２に螺合することなく、突起部１９２の周囲の本体フレーム１２０の部分に螺合していても良い。
【００５０】
以上の後カバー９０，１９０は、樹脂成型品であるが、鉄板やアルミプレート等の金属製であっても反りが生じることがある。このため、本発明のカバー取付装置は、樹脂成型品の後カバーのみならず、金属製の後カバーにも適用できる。
【００５１】
なお、前述した実施形態では、カバー取付装置のカバーとして外装カバーを用いて説明したが、本発明はこれに限定されるものではない。例えばカバーとして外装カバーの内側に配置される内装カバーにも同様に適用ができ、同様の作用効果を達成し得るものである。
【００５２】
また、締結手段としてねじを用いて説明したが、ねじの他にスナップフィット等のクリップ爪による固定や接着材等を利用して接着固定するカバー取付装置においても同様に適用ができ、同様の作用効果を達成し得るものである。
【符号の説明】
【００５３】
１：複写機、１Ｆ：複写機の装置本体、１ｂａ：雌ねじ周辺部（接触部、接触対、第１の接触対、第２の接触対）、９０，１９０：後カバー（カバー）、８０，１８０：カバー取付装置、８１：ねじ、９１，１９１：雌ねじ孔、９２，１９２：突起部（接触部、接触対、第１の接触対、第２の接触対）、９４，１９４：傾斜面（接触面）、９５：突き当て部（位置決め部）、９７，１９７：外観面、１２０：本体フレーム（被固定部）、１９０ａ：貫通孔周辺部（接触部、接触対、第１の接触対、第２の接触対）。
【図１】
2019128428.tif 000003
【図２】
2019128428.tif 000004
【図３】
2019128428.tif 000005
【図４】
2019128428.tif 000006
【図５】
2019128428.tif 000007
【図６】
2019128428.tif 000008
【図７】
2019128428.tif 000009
【図８】
2019128428.tif 000010
【図９】
2019128428.tif 000011
【図１０】
2019128428.tif 000012
【図１１】
2019128428.tif 000013
【図１２】
2019128428.tif 000014
【図１３】
2019128428.tif 000015